(57)【要約】【課題】引戸の前後方向、上下方向の傾きを容易に精度良く調整できる門扉を提供する。【解決手段】引戸５をガイドレール部材４に摺動自在に吊り下げ、連結具２１、３１は支柱連結部２１１、３１１とガイドレール連結部２１２、３１２とを有し、支柱連結部２１１、３１１は前後方向位置調整自在に戸先側吊元門柱２及び戸尻側吊元門柱３に固定してあり、ガイドレール連結部２１２、３１２はガイドレール部材４を調整ボルト２２、３２により上下位置調整自在に固定してあり、前側ガイドローラー２３１及び後側ガイドローラー２３２は前後位置調整自在に固定してあり、下部ガイドローラー２４１は上下位置調整自在に固定してある。【選択図】        図１
2004218410.tif 000002
【特許請求の範囲】
【請求項１】
戸先側吊元門柱と、戸尻側吊元門柱と、戸先側端部を戸先側吊元門柱の上部に連結具で固定し、且つ、戸尻側端部を戸尻側吊元門柱の上部に連結具で固定したガイドレール部材と、ガイドレール部材に摺動自在に吊り下げた引戸と、戸先側吊元門柱の上部に取り付けた上部保持具に固定して引戸の前側面及び後側面を夫々ガイドする前側ガイドローラー及び後側ガイドローラーと、戸先側吊元門柱に取り付けた下部保持具に固定して引戸下面をガイドする下部ガイドローラーとを備え、連結具は戸先側吊元門柱及び戸尻側吊元門柱に前後方向位置調整自在に固定するとともに、ガイドレール部材を上下方向の調整ボルトにより上下位置調整自在に固定してあり、前側ガイドローラー及び後側ガイドローラーは前後位置調整自在に上部保持具に固定してあり、下部ガイドローラーは上下位置調整自在に下部保持具に固定してあることを特徴とする門扉。
【発明の詳細な説明】
【０００１】
【発明が属する技術分野】
本発明は、大型ノンレール引戸タイプの門扉に関するものである。
【０００２】
【従来の技術】
従来から知られている門扉として例えば、特許文献１ではガイドレール部材を用いて開閉時の扉体戸当り側の揺動を抑えた引戸門扉が開示されている。特許文献２では扉体の建て込み施工性を改善すると共に扉体を取り付けた後にその出幅や傾きを微調整できるようにした引戸門扉が開示されている。また、特許文献３や特許文献４では扉体の揺動あるいは垂れを抑えることによって扉体の開閉時の姿勢を改善した引戸門扉が開示されている。
【０００３】
【特許文献１】
特開２０００−２１３２６１号公報
【特許文献２】
特開２０００−２４８８６４号公報
【特許文献３】
特開平９−２１７５７２号公報
【特許文献４】
実開平１−１５４７９９号公報
【０００４】
【発明が解決しようとする課題】
しかし、上記した従来の門扉では、例えば、特許文献１の引戸門扉の場合、戸先側吊元門柱と戸尻側吊元門柱とに架設するガイドレール部材の取り付け位置精度を高めるために門柱の取付位置精度が要求され、施工性が悪いという問題があった。また、特許文献２〜４の引戸門扉の場合、ガイドローラーなどのガイド部材の調整による扉体の前後方向、上下方向の位置或いは傾きが微妙に変化し易く、都度の調整も容易でないという問題があり、これらの問題を解決することが従来の課題となっていた。
【０００５】
【発明の目的】
本発明は、上記した従来の課題に着目してなされたもので、ガイドレール部材の取付位置調整を容易にして、施工性を向上させるとともに、引戸の前後方向、上下方向の傾きを容易に精度良く調整できる門扉を提供することを目的としている。
【０００６】
【課題を解決するための手段】
請求項１に記載の発明は、戸先側吊元門柱と、戸尻側吊元門柱と、戸先側端部を戸先側吊元門柱の上部に連結具で固定し、且つ、戸尻側端部を戸尻側吊元門柱の上部に連結具で固定したガイドレール部材と、ガイドレール部材に摺動自在に吊り下げた引戸と、戸先側吊元門柱の上部に取り付けた上部保持具に固定して引戸の前側面及び後側面を夫々ガイドする前側ガイドローラー及び後側ガイドローラーと、戸先側吊元門柱に取り付けた下部保持具に固定して引戸下面をガイドする下部ガイドローラーとを備え、連結具は戸先側吊元門柱及び戸尻側吊元門柱に前後方向位置調整自在に固定するとともに、ガイドレール部材を上下方向の調整ボルトにより上下位置調整自在に固定してあり、前側ガイドローラー及び後側ガイドローラーは前後位置調整自在に上部保持具に固定してあり、下部ガイドローラーは上下位置調整自在に下部保持具に固定してある構成を前述した従来の課題を解決するための手段としている。
【０００７】
本発明に係わる門扉において、前後方向とは門扉の境界における内側および外側方向を示す。
【０００８】
【発明の作用】
本発明の請求項１に係わる門扉において、引戸はガイドレール部材に摺動自在に吊り下げてあり、ガイドレール部材は戸先側端部を戸先側吊元門柱の上部に連結具で固定し、且つ、戸尻側端部を戸尻側吊元門柱の上部に連結具で固定してあり、連結具は戸先側吊元門柱及び戸尻側吊元門柱に前後方向位置調整自在に固定するとともに、ガイドレール部材を上下方向の調整ボルトにより上下位置調整自在に固定してあるので、両端部を連結具で戸先側吊元門柱及び戸尻側吊元門柱に固定したガイドレール部材の前後方向及び上下方向の位置調整が容易であるから、門柱の施工には高い精度を必要とせずに済むので施工性を向上させるとともに、ガイドレール部材に摺動自在に吊り下げてある引戸の前後方向、上下方向の傾きを容易に精度良く調整できるという効果が得られることとなるものであり、更に、前側ガイドローラー及び後側ガイドローラーは前後位置調整自在に戸先側吊元門柱にと上部保持具で固定してあり、下部ガイドローラーは上下位置調整自在に戸先側吊元門柱に下部保持具で固定してあることによってより一層上記した効果を補完するものである。
【０００９】
【発明の実施の形態】
以下、本発明の実施の形態を図面に基づいて説明する。
【００１０】
図２は本発明の門扉１の全体図であり、引戸５を開いている状態を実線で、引戸５を閉じた状態を一点鎖線で示している。尚、図２の平面図に表れている塀Ｆは他の図面では全て省略してある。本発明の門扉１は図２に示す通り、戸先側吊元門柱２と、戸尻側吊元門柱３と、戸当り門柱６と、戸先側端部を戸先側吊元門柱２の戸尻側の柱２ｂの上部に連結具２１で固定し、且つ、戸尻側端部を戸尻側吊元門柱３の上部に連結具３１で固定したガイドレール部材４と、ガイドレール部材４に摺動自在に吊り下げた引戸５とを備えている。尚、戸先側吊元門柱２は図２、図４及び図５に示す通り、戸先側の柱２ａ及び戸尻側の柱２ｂを上下のブリッジ材Ｂ、Ｂで連結して一体としたものである。
【００１１】
図１は図２における第一実施形態の門扉１のＡ−Ａ線断面拡大説明図であり、連結具３１で連結したガイドレール部材４と戸尻側吊元門柱３およびこれらと引戸５との位置関係を表している。図３はガイドレール部材４の戸尻側吊元門柱３への取り付け状態の詳細を表わしている。連結具３１の支柱連結部３１１は前後方向に長い長孔を上下２ヶ所に設けてあり、長孔を挿通する固定ボルト３１３、３１３で戸尻側吊元門柱３に連結具３１を固定しており、従って、連結具３１は前後方向に位置調整自在である。また、連結具３１のガイドレール連結部３１２は前側に開口する略コ字形状を成してガイドレール部材４をコ字内に保持するとともに、調整ボルト３２によってガイドレール部材４を上下位置調整自在に固定してある。
【００１２】
図１及び図２に示す如く、引戸５の戸尻側は上框５２の戸尻側端部に摺動ローラー５１を固定してあり、ガイドレール部材４のガイド部４１に摺動ローラー５１のローラー部５１１を載置して、引戸５の戸尻側を摺動ローラー５１でガイドレール部材４に吊り下げ、ガイドレール部材４のガイド部４１上を摺動ローラー５１のローラー部５１１が転がり摺動自在に設けてあることによって引戸５をガイドレール部材４に摺動自在に吊り下げているものである。図１に表れる引戸５の上框５２に取り付けた外れ止め５７は、引戸５を開閉する時に摺動ローラー５１のローラー部５１１がガイドレール部材４のガイド部４１から浮いて外れないように補助的に取り付けたものである。また、引戸５の下框５３の戸先側端部には図２に示す如く引戸５の戸先側荷重を支承しつつ転動する戸先車輪５８を取り付け固定してある。
【００１３】
図４は戸先側吊元門柱２にかかる部分の上部構造を表わしている。戸先側吊元門柱２の戸尻側の柱２ｂには連結具２１を取り付けてあり、戸尻側吊元門柱３に取り付けた連結具３１と対をなしてガイドレール部材４の戸先側及び戸尻側の両端部を固定し、ガイドレール部材４を支承している。連結具２１を構成する支柱連結部２１１、ガイドレール連結部２１２、固定ボルト２１３及び調整ボルト２２の詳細は、連結具３１を構成する支柱連結部３１１、ガイドレール連結部３１２、固定ボルト３１３及び調整ボルト３２について詳細に上記したものと対をなして同一のものなので、ここでの説明を省略する。
【００１４】
図４に示す通り、戸先側吊元門柱２を構成する戸先側の柱２ａ及び戸尻側の柱２ｂの上部には前方にそれぞれ上部保持具２３１、２３１を取り付けてあり、上部保持具２３１、２３１には各々相対向してローラーホルダー２３２、２３２を取り付けてあり、ローラーホルダー２３２には前後方向に対をなす前側ガイドローラー２３Ｆ及び後側ガイドローラー２３Ｒを取り付けてあり、前側ガイドローラー２３Ｆ及び後側ガイドローラー２３Ｒのローラー部分において引戸５の上框５２を前後方向から挟んで引戸５をガイドするように設けてある。ローラーホルダー２３２の各ガイドローラー取付部は上面にボルトを埋め込んで前後方向にスライド可能にスライド溝２３４を設けてあり、前側ガイドローラー２３Ｆ及び後側ガイドローラー２３Ｒの軸は上方に延伸してあり、それぞれスライド溝２３４に前後方向に長く設けた長孔を挿通して固定ボルト２３３でローラーホルダー２３２に固定してあるので前後方向の位置調整自在となっている。
【００１５】
図５は戸先側吊元門柱２にかかる部分の下部構造を表わしている。戸先側吊元門柱２の戸先側の柱２ａ及び戸尻側の柱２ｂの下部には前方にそれぞれ下部保持具２４１、２４１を取り付けてあり、下部保持具２４１は端部に一対のホルダーガイド２４３、２４３を有している。一対のホルダーガイド２４３、２４３は上下方向に長い長孔を有し、長孔に挿通した固定ボルト２４５、２４５で上下方向の任意の位置にローラーホルダー２４２を固定するものであり、調整ボルト２４４によって上下方向の固定位置調整自在に設けたローラーホルダー２４２をガイドしている。ローラーホルダー２４２には下部ガイドローラー２４を取り付けてあり、下部ガイドローラー２４は引戸５の下框５３の下面を支承して引戸５を開閉方向にガイドしている。
【００１６】
図６は図２における第二実施形態の門扉１のＣ−Ｃ部分左側面断面図及びＣ−Ｃ部分背面図であり、連結具３１のガイドレール連結部３１２が下面を前側に突出する略Ｌ字形状を成しており、ガイドレール連結部３１２の略Ｌ字の側面に上下方向に長い長孔を上下２ヶ所に設けてあって、長孔を挿通する固定ボルト３１４、３１４でガイドレール部材４をガイドレール連結部３１２に固定するように設けてあり、ガイドレール連結部３１２の略Ｌ字の下面に設けた調整ボルト３２によってガイドレール部材４を上下位置調整自在にしてあることによってガイドレール連結部３１２がガイドレール４を上下位置調整自在に固定するものである。そして、図示しないが、第二実施形態の門扉１は第一実施形態において説明したもう一方のガイドレール連結部２１２についても略Ｌ字形状をなし、上記した第二実施形態のガイドレール連結部３１２と同様に、側面に上下方向に長い長孔を上下２ヶ所に設けてあって、長孔を挿通する固定ボルト２１４、２１４でガイドレール部材４をガイドレール連結部２１２に固定し、ガイドレール連結部２１２の略Ｌ字の下面に設けた調整ボルト２２によってガイドレール部材４を上下位置調整自在に固定するものである。
【００１７】
第二実施形態の門扉１は上記した以外の部分の構成については上述の第一実施形態の門扉１と同一であるので。ここでの説明を省略する。
【００１８】
以上、第一実施形態及び第二実施形態の門扉の各部分の構成について説明してきたが、以下には引戸５全体の開閉時の上下方向及び前後方向における位置及び傾きの調整について詳細に説明する。
【００１９】
既に説明した通り、引戸５の荷重を支承しているのは戸先側下面では戸先車輪５８であり、戸尻側上部では摺動ローラー５１であり、中間部下面では下部ガイドローラー２４である。また、中間部の上部では前側ガイドローラ２３Ｆ及び後側ガイドローラー２３Ｒが引戸５の前後方向の振れを制限している。また、摺動ローラー５１の荷重を支承するのはガイドレール部材４であり、摺動ローラー５１の位置はガイドレール部材４の位置によって決まるものであるから、言い換えれば戸尻側上部で引戸５の荷重を支承して、その位置を規制しているのはガイドレール部材４である。
【００２０】
各部材の引戸５に対する位置調整機能について整理すると以下の通りである。先ず、ガイドレール部材４は戸先側及び戸尻側の両端部を調整ボルト２２、３２によって上下位置調整自在に連結具２１、３１のコ字状またはＬ字状のガイドレール連結部２１２、３１２に固定してあり、且つ、連結具２１、３１を介して固定ボルト２１３、２１３、３１３、３１３によって前後方向位置調整自在に戸先側吊元門柱２及び戸尻側吊元門柱３に固定してある。また、下部ガイドローラー２４、２４は調整ボルト２４４、２４４及び固定ボルト２４５、２４５、２４５、２４５によって上下方向位置調整自在に設けてある。さらに、前側ガイドローラ２３Ｆ及び後側ガイドローラー２３Ｒは固定ボルト２３３、２３３、２３３、２３３によって前後方向位置調整自在に設けてある。
【００２１】
従って、本発明の第一実施形態及び第二実施形態の門扉１は連結具２１、３１の固定ボルト２１３、２１３、３１３、３１３と前側ガイドローラ２３Ｆ及び後側ガイドローラー２３Ｒの固定ボルト２３３、２３３、２３３、２３３によるそれぞれの固定位置調整で自在に引戸５の傾き調整及び引戸開閉時の進行方向の調整が可能であり、また、連結具２１、３１の調整ボルト２２、３２と下部ガイドローラ２４、２４の調整ボルト２４４、２４４によるそれぞれの固定位置調整で自在に引戸５の上下方向の位置調整、更には引戸５自体の自重によるたわみ等に対応した上下方向の位置調整が可能となったものである。
【００２２】
更に、本発明の第二実施形態の門扉１では、第一実施形態の門扉に比較して、ガイドレール部材４を固定する連結具３１のガイドレール連結部３１２が断面略コ字状のものから断面略Ｌ字状のものに替わり、ガイドレール部材４の上部に露出していた調整ボルト３２を無くするとともにガイドレール連結部３１２の上部も目立たないようにしたことによって、外観がよりすっきりしたものにできるという効果も得られるものである。
【００２３】
本発明は、上述した実施の形態に限らず、本発明の趣旨を逸脱しない範囲で種々の変更が可能である。例えば、戸先側吊元門柱は２本の柱をブリッジ材で連結して一体とし２つの前側ガイドローラー、後側ガイドローラー及び下部ガイドローラーを各々２本の柱に取り付けた場合を例示したが、例えば、戸先側吊元門柱を１本の柱のみとして、１つの前側ガイドローラー、後側ガイドローラー及び下部ガイドローラーを戸先側吊元門柱に取り付けたものであっても同様の効果を奏する。
【００２４】
【発明の効果】
以上説明してきたように、本発明の請求項１に係わる門扉では、上記した構成としたから、ガイドレール部材の前後方向及び上下方向の位置調整が容易となり、門扉の施工性を向上させるとともに、ガイドレール部材に摺動自在に吊り下げてある引戸の前後方向、上下方向の傾きを容易に精度良く調整できるという非常に優れた効果がもたらされる。
【図面の簡単な説明】
【図１】第一実施形態の門扉の図２におけるＡ−Ａ線断面拡大説明図であり、ガイドレール部材と門柱および引戸との位置関係を表す。
【図２】本発明の門扉の全体概観を説明する正面図及び平面図である。
【図３】第一実施形態の門扉の取付具及びガイドレール部材の戸尻側吊元門柱への取付状態の詳細を表わす正面図及び平面図である。
【図４】第一実施形態の門扉の前側ガイドローラー、後側ガイドローラー及びガイドレール部材の戸尻側吊元門柱への取付状態の詳細を表わす正面図、平面図及び左側面図である。
【図５】第一実施形態の門扉の下部ガイドローラーの戸尻側吊元門柱への取付状態の詳細を表わす正面図及び右側面図である。
【図６】第二実施形態の門扉の図２におけるＣ−Ｃ部分の左側面断面図及び背面図である。
【符号の説明】
１      門扉
２      戸先側吊元門柱
３      戸尻側吊元門柱
２１、３１      連結具
２１１、３１１  支柱連結部
２１２、３１２  ガイドレール連結部
２２、３２      調整ボルト
２３１  上部保持具
２３Ｆ  前側ガイドローラー
２３Ｒ  後側ガイドローラー
２４    下部ガイドローラー
２４１  下部保持具
４      ガイドレール部材
５      引戸
５１    摺動ローラー
５８    戸先車輪
６      戸当り門柱
【図１】
2004218410.tif 000003
【図２】
2004218410.tif 000004
【図３】
2004218410.tif 000005
【図４】
2004218410.tif 000006
【図５】
2004218410.tif 000007
【図６】
2004218410.tif 000008